(57)【要約】【課題】  連続的に原水を供給しながら、逐次原水の浄化が図られるような、新規な排水浄化処理装置を開発すること技術課題とした。【解決手段】  閉鎖空間を構成する筐体２と、この筐体２内に設けられる処理区画室３と、この処理区画室３内に配置される吸液性を具えた処理メディア３５と、この処理メディア３５の至近位置を移動し、処理する原水Ｗ０を処理メディア３５上に散布するとともに、原水Ｗ０を気化させるために温熱風Ｈを供給する処理ユニット５とを具えて本体装置１を構成し、前記処理メディア３５に散布された原水Ｗ０を加温気化させることにより、処理メディア３５に原水Ｗ０中の汚染物質を残留、保持させるとともに、原水Ｗ０中の清浄水を含む清浄な状態の回収気体Ｖ０を筐体２外部に排出するようにしたことを特徴とする。【選択図】図１
2018192434.tif 000002
【特許請求の範囲】
【請求項１】
閉鎖空間を構成する筐体と、
この筐体内に設けられる処理区画室と、
この処理区画室内に配置される吸液性を具えた処理メディアと、
この処理メディアの至近位置を移動し、処理する原水を処理メディア上に散布するとともに、原水を気化させるために温熱風を供給する処理ユニットとを具えて本体装置を構成し、
前記処理メディアに散布された原水を加温気化させることにより、処理メディアに原水中の汚染物質を残留、保持させるとともに、
原水中の清浄水を含む清浄な状態の回収気体を筐体外部に排出するようにしたことを特徴とする排水浄化処理装置。
【請求項２】
前記処理区画室は、適宜の長さを有する空間とし、
この処理区画室の長手方向に沿って前記処理メディアが設けられ、
更に前記処理ユニットは、処理メディアの設置方向に沿って処理区画室内を移動するものであり、
且つ処理ユニットは処理メディアに対向する位置に処理ヘッドを具え、
この処理ヘッドは、処理メディアに原水を散布する原水ノズルと、
処理メディアに温熱風を吹き出す温熱風ノズルとを具えていることを特徴とする請求項１記載の排水浄化処理装置。
【請求項３】
前記処理ユニットにおける処理ヘッドは、移動方向において、その中央に原水ノズルを設け、その両側に温熱風ノズルを配した構造であることを特徴とする請求項２記載の排水浄化処理装置。
【請求項４】
前記処理メディアの至近部には、乾燥風を吹き出す乾燥風ノズルが配置されていることを特徴とする請求項１、２または３記載の排水浄化処理装置。
【請求項５】
前記筐体には、気化した回収気体を排出するための移送風が供給されていることを特徴とする請求項１、２、３または４記載の排水浄化処理装置。
【請求項６】
前記本体装置の至近部には回収気体導出装置が設けられ、この回収気体導出装置により筐体外部に排出された回収気体から浄化処理水を分離させるとともに、回収気体を乾燥処理気体とすることを特徴とする請求項１、２、３、４または５記載の排水浄化処理装置。
【請求項７】
前記乾燥処理気体は、筐体内に戻されることを特徴とする請求項６記載の排水浄化処理装置。
【請求項８】
前記処理区画室は、処理区画ケージ内に複数室設けられていることを特徴とする請求項１、２、３、４、５、６または７記載の排水浄化処理装置。
【発明の詳細な説明】
【技術分野】
【０００１】
本発明は、工場排水をはじめとしてあらゆる排水を高度に浄化する装置に関するものである。
【背景技術】
【０００２】
近時、環境浄化や環境維持の社会的要請が更に強まるにつれ、例えば工場排水等における汚濁物質の処理基準も極めて厳しいものとなっている。このような要請に応える手法としては、汚濁物質の性状に応じて、化学的中和処理、生化学的な処理、物理的なフィルター処理などが行われている。そして、これらの対応でも浄化基準の要請に応えられない場合には、結局のところ希釈処理をしているのが現状である。
このような手法では、一定量の排水ボリューム当たりの汚濁物質含有パーセンテージは、見かけ上減ったとしてもその絶対量は減っていない。
【０００３】
ところで、このような浄化処理の限界を考慮して、処理すべき原水を多孔質の例えばスポンジ状の材料片（吸着メディア）に吸着させ、この吸着メディアを温風加熱させることによって、吸着させた水分のみを蒸散させる一方、汚濁物質は、吸着メディアに残留確保し、前記蒸散した浄化空気から改めて水分を凝集させる、いわば気化浄化式の手法が試みられている（例えば特許文献１参照）。
この手法は、高度に排水を浄化できる点で有望であるものの、現実には蒸散処理にあたっての効率が十分ではなく、商用機としての設置は躊躇われて、結局のところ実機は市場には提供されていない。
【０００４】
このようなことから本出願人は、商用利用に充分応え得る性能を具えた気化浄化式の排水浄化処理技術を開発し、既に特許出願に及んでおり、その技術は評価されて登録に至っている（特許文献２参照）。
ところで前記特許は、汚染された原水の高度な浄化が可能となっているが、一方で、複数機設置すれば見かけ上、原水処理を連続して行うことができるが、個々の排水浄化処理装置ではあくまでバッチ処理が行われる。
しかしながら汚染された原水の処理にあたり、連続処理による効率化の要求は強く在り、装置単体であっても原水の連続処理を可能とする装置の開発が求められてきた。
【先行技術文献】
【特許文献】
【０００５】
【特許文献１】特開２００３−２００１５１号公報
【特許文献２】特許第５０４２８６８号公報
【発明の概要】
【発明が解決しようとする課題】
【０００６】
本発明は、このような要請に応えるためになされたものであって、連続的に原水を供給しながら、逐次原水の浄化が図られるような、新規な排水浄化処理装置を開発すること技術課題としたものである。
【課題を解決するための手段】
【０００７】
すなわち請求項１記載の排水浄化処理装置は、閉鎖空間を構成する筐体と、この筐体内に設けられる処理区画室と、この処理区画室内に配置される吸液性を具えた処理メディアと、この処理メディアの至近位置を移動し、処理する原水を処理メディア上に散布するとともに、原水を気化させるために温熱風を供給する処理ユニットとを具えて本体装置を構成し、前記処理メディアに散布された原水を加温気化させることにより、処理メディアに原水中の汚染物質を残留、保持させるとともに、原水中の清浄水を含む清浄な状態の回収気体を筐体外部に排出するようにしたことを特徴として成るものである。
【０００８】
また請求項２記載の排水浄化処理装置は、前記要件に加え、前記処理区画室は、適宜の長さを有する空間とし、この処理区画室の長手方向に沿って前記処理メディアが設けられ、更に前記処理ユニットは、処理メディアの設置方向に沿って処理区画室内を移動するものであり、且つ処理ユニットは処理メディアに対向する位置に処理ヘッドを具え、この処理ヘッドは、処理メディアに原水を散布する原水ノズルと、処理メディアに温熱風を吹き出す温熱風ノズルとを具えていることを特徴として成るものである。
【０００９】
更にまた請求項３記載の排水浄化処理装置は、前記請求項２記載の要件に加え、前記処理ユニットにおける処理ヘッドは、移動方向において、その中央に原水ノズルを設け、その両側に温熱風ノズルを配した構造であることを特徴として成るものである。
【００１０】
更にまた請求項４記載の排水浄化処理装置は、前記要件に加え、前記処理メディアの至近部には、乾燥風を吹き出す乾燥風ノズルが配置されていることを特徴として成るものである。
【００１１】
更にまた請求項５記載の排水浄化処理装置は、前記要件に加え、前記筐体には、気化した回収気体を排出するための移送風が供給されていることを特徴として成るものである。
【００１２】
更にまた請求項６記載の排水浄化処理装置は、前記要件に加え、前記本体装置の至近部には回収気体導出装置が設けられ、筐体外部に排出された回収気体から浄化処理水を分離させるとともに、回収気体を乾燥処理気体とすることを特徴として成るものである。
【００１３】
更にまた請求項７記載の排水浄化処理装置は、前記請求項６記載の要件に加え、前記乾燥処理気体は、筐体内に戻されることを特徴として成るものである。
【００１４】
更にまた請求項８記載の排水浄化処理装置は、前記要件に加え、前記処理区画室は、処理区画ケージ内に複数室設けられていることを特徴として成るものである。
そしてこれら各請求項記載の構成を手段として前記課題の解決が図られる。
【発明の効果】
【００１５】
まず請求項１記載の発明によれば、処理メディアに対し、逐次連続的に汚染された原水を供給しながら、これに対して集中的に温熱風を供給して水分の蒸散を促すことができ、処理すべき原水の連続供給を可能とする装置が得られ、結果的に高効率の原水処理が達成できる。
【００１６】
また請求項２記載の発明によれば、一定範囲に長手方向に配設された処理メディアに対し、その長手方向に沿って順次、処理ユニットが移動し、処理ユニットの移動に伴って処理メディア上に原水が連続的に供給されるとともに、その原水をただちに温熱風ノズルにより加熱して気化・蒸散させるものであり、合理的な設計態様を具えた排水浄化処理装置を得ることができる。
【００１７】
また請求項３記載の発明によれば、処理ヘッドは、その移動方向において中央に原水ノズルを配置し、その両側に温熱風ノズルを配置しているものであり、この結果、原水ノズルに先行する温熱風ノズルからの温熱風により、予め処理メディアが高温に加熱され、その後に供給される原水の蒸散を促し易く前処理しており、更にそれを後続の温熱風ノズルにより完全に蒸散するまで加熱する。結果的に処理ヘッドが通過した時点で既に原水の蒸散が図られるものであり、効率的な排水浄化処理が達成できる。
【００１８】
更にまた請求項４記載の発明によれば、処理メディアの至近部には、乾燥風ノズルが配置されていることから、処理メディアの乾燥がより効果的に達成される。
【００１９】
更にまた請求項５記載の発明によれば、処理区画室を具えた筐体内には、原水から気化した回収気体を排出するための移送風が供給されるため、回収気体に一定の流れが生じて、円滑に外部に排出される。
【００２０】
更にまた請求項６記載の発明によれば、本体装置の至近部には回収気体導出装置が設けられ、筐体外部に排出された回収気体から浄化処理水を分離させるとともに、回収気体を乾燥処理気体とすることにより、回収気体の再利用の道を開くとともに、浄化処理水の再利用の道を開くことができる。
【００２１】
更にまた請求項７記載の発明によれば、乾燥処理気体は筐体内に戻されるものであり、処理メディアの乾燥に寄与する気体として有効に再利用することができる。
【００２２】
更にまた請求項８記載の発明によれば、処理区画室は、処理区画ケージ内に複数室設けられているため、筐体内のスペースをより有効に用いることができる。
【図面の簡単な説明】
【００２３】
【図１】本発明の排水浄化処理装置を示す一部破断斜視図である。
【図２】同上側面図である。
【図３】本発明における処理ユニットの基本構造と、装置全体の基本構造とを併せ示す骨格的側面図である。
【図４】同上正面図である。
【図５】本発明における原水と温熱風との分配供給構造を示す正面図である。
【図６】本発明における処理ユニットの駆動手法の一部を示す正面図である。
【図７】本発明における一部の処理区画室と、その内部に配置する処理ユニットの形態を示す骨格的正面図である。
【図８】同上態様の更に他の実施形態を示す骨格的正面図である。
【図９】本発明の装置における全ての処理区画室の利用態様を示す骨格的正面図である。
【発明を実施するための形態】
【００２４】
本発明の実施の形態は、以下述べる実施例を適切な形態の一例とするとともに、この技術的思想内において改良される種々の形態をも含むものである。
以下本発明を図示の実施例に基づいて具体的に説明する。
【実施例】
【００２５】
まず排水浄化処理装置Ａは、本体装置１を主要部材とする。この本体装置１は閉鎖空間を構成する筐体２と、この筐体２内に設けられる処理区画室３と、処理区画室３内に配置される処理メディア３５と、この処理メディア３５の至近位置を移動し、処理する原水Ｗ０を処理メディア３５上に散布するとともに、原水Ｗ０を気化させるための温熱風Ｈを供給する処理ユニット５とを具える。
更に本体装置１には、回収気体Ｖ０を回収するための回収気体導出装置６や、温熱風Ｈの供給源となるヒーターユニット７を周辺に具え、更に適宜の位置に原水Ｗ０を貯留しておく原水タンク８を具える。
【００２６】
まず本体装置１は、適宜のベースフレーム１１に対し、前記筐体２やその他の機材を支持しており、まず筐体２は、横長直方体状の外殻板２０を外周部に具える。そして外殻板２０の一方の側面（妻面）には、一定の偏平なスペースである駆動スペースを形成する駆動ケース２１を設けるとともに、この駆動ケース２１寄りの筐体２内に送風チャンバ２２を設ける。一方、筐体２内の大部分のスペースを処理室２３とする。
なお送風チャンバ２２と処理室２３とは、仕切板２４によって周辺部が仕切られ、処理区画室３に至る中央部は連通状態に開口している。更に送風チャンバ２２に連通して送風機ファン２５が筐体２の妻面部の外殻板２０に対し設けられている。
更にこの処理室２３内には、処理ユニット５に対し、原水Ｗ０を供給するための原水ストレージタンク２６と、温熱風Ｈを供給するための温熱風タンク２７とが設けられている。また前記駆動ケース２１内には、後述する処理ユニット５の駆動を図るためのスプロケット２８、チェン２９及び処理ユニット駆動モータＭ１が設けられる。
【００２７】
このような筐体２における処理室２３には、処理区画室３が一例として複数室形成される。具体的には、処理区画ケージ３０は、多数の横桟部材３１と環状枠部材３２とを組み合わせた籠状形態を採るものであり、その長手方向すなわち水平方向に延びるような多数の処理区画室３が形成されている。因みにこの処理区画室３は、中心ゾーンＺ１に４室、中間ゾーンＺ２に８室、外周ゾーンＺ３に１２室形成されている。しかしながら処理区画室３は、各々が厳密に閉鎖されているわけではなく、互いに連通状態を保っており、実質的にはそこに配置される処理メディア３５その他の機材等により分割されているものである。
【００２８】
ここで一つの処理区画室３の構成について説明する。なおこの説明にあたっては、実際には例えば中心ゾーンＺ１における処理区画室３は銀杏切り型の断面であり、中間ゾーンＺ２及び外周ゾーンＺ３は、いわゆる扇形の断面形状を有するものであるが、これらについてはこの断面形状から離れてシンボリックな表現として以下説明する。
ずなわち図２、３、４に示すように、処理区画室３にはガイドレール３３が設けられ、このガイドレール３３に沿って処理ユニット５が移動できるように構成されている。このガイドレール３３の横には、処理ユニット５の駆動用のスクリューシャフト３４が配置され、一方、この処理ユニット５に対向するように、処理メディア３５が処理区画室３内に設けられる。この処理メディア３５は、一例として木質系のスポンジ状の多孔質パルプを適用することが好ましく、その形状は一例として一定の厚さを有する帯状素材であり、このものが処理区画室３の長手方向に沿って敷設されたような形態を採る。
具体的には、例えば横桟部材３１を支持部材としてサポートネット３５ａを設け、その上に処理メディア３５を配置し、例えば保持クリップ３５ｂ等によりこれを設置した状態とする。
更に処理メディア３５の至近位置である一例として下方には、乾燥風ノズル３６を設ける。
【００２９】
このような処理区画室３に対し、その内部で処理ユニット５が移動するものであり、以下、処理ユニット５について説明する。
処理ユニット５は、前記ガイドレール３３に対して支持される移動枠５０を骨格部材とするものであり、具体的にはスライドブロック５１がガイドレール３３を掴むようなかたちで摺動する。
そしてこのスライドブロック５１の一部から突出するようにメネジブロック５１ａが設けられ、このメネジブロック５１ａと前記ガイドレール３３に沿って設けられているスクリューシャフト３４とが噛み合い、スクリューシャフト３４の回転により処理ユニット５の移動が図られるように構成されている。
なおスクリューシャフト３４は、その一端が前記駆動ケース２１内に至り、ここに取り付けられたスプロケット２８が処理ユニット駆動モータＭ１の回転を受け、回転する。
【００３０】
そしてこの移動枠５０は、スライドブロック５１から延長する延長杆５２を具えるものであり、その自由端側に処理ヘッド５３を具える。
この処理ヘッド５３は、原水ノズル５４と温熱風ノズル５５とを具える。具体的には、原水ノズル５４は、前記帯状の処理メディア３５の幅寸法程度の寸法を有する管状部材に対し、その下面に多数の小孔を形成し、原水Ｗ０をスプレー状に処理メディア３５に供給できるようにしたものである。
一方、温熱風ノズル５５は、スリット状のノズルであって、原水ノズル５４を中央に配し、その移動方向前後に二基設けられている。
そして前記原水ノズル５４は、原水供給配管５６に接続され、この原水供給配管５６は前記原水ストレージタンク２６に接続されている。
なお原水供給配管５６は、処理ユニット５が長手方向に移動することを許容するため、伸縮自在のコイル部５６ａを具える。
また原水供給配管５６と原水ストレージタンク２６との接続は、原水ストレージタンク２６に多数設けられた原水ニップル２６ａの一つに対し接続されている。
また温熱風供給配管５７は、同様にその途中にコイル部５７ａを有し、その端部が温熱風タンク２７に多数設けられた温熱風ニップル２７ａの一つに対し接続されている。
【００３１】
以上述べた構成が本体装置１としての基本構成であり、更にこのものに対し、回収気体導出装置６が設けられる。このものは実質的には回収気体Ｖ０を導くダクト状のものでありその導出路６０から回収気体Ｖ０が導出ダクト６１に導かれる。
この導出ダクト６１は一例として、回収気体Ｖ０がジグザグ状に流れるような案内部材６１ａを具えるものであり、導出ダクト６１の始発側近くには、回収気体Ｖ０を冷却する冷却コイル６２を具える。
そして導出ダクト６１の下方には、この回収気体Ｖ０が冷却されて凝縮したときの水分の排出口となるドレン口６３を具えるとともに、気体に関しては再導入管６４を具える。この再導入管６４は一例として前記乾燥風ノズル３６に接続され、処理区画室３内に乾燥処理気体Ｖを導入する。
【００３２】
更に本体装置１の至近位置には、ヒーターユニット７を設けるものであり、ヒートポンプや電熱器その他適宜の手法で温熱風Ｈを生起するものである。この温熱風Ｈを送り出すための送風管７１が前記筐体２内の温熱風タンク２７に対し接続される
【００３３】
また原水タンク８は適宜工場排水等を一定量貯留するに十分な容積を有するタンクであり、送水管８１から原水ポンプＰにより、前記原水ストレージタンク２６内に原水Ｗ０を移送する。
【００３４】
本発明の排水浄化処理装置Ａの構成は、一例として以上述べたような構成を採るものであり、以下この作動状態について説明する。
（１）準備状態
準備状態としては、まず原水タンク８に汚染された状態の原水Ｗ０が貯留されており、且つこの原水Ｗ０は、原水ポンプＰにより前記本体装置１における筐体２内の原水ストレージタンク２６内に一定量貯留されている。
またヒーターユニット７は、このものが起動され、送風管７１から温熱風Ｈが温熱風タンク２７に一定圧で吹き込まれる。
一方、筐体２内の状態で見ると、前記処理区画室３にあっては、例えば処理ユニット５を最も温熱風タンク２７あるいは原水ストレージタンク２６側に寄せた状態とし、この状態を始発状態とする。
【００３５】
（２）処理ユニットの移動
このような状態で処理ユニット５は、移動枠５０が前記スクリューシャフト３４の回転駆動を受けて送風チャンバ２２側に向かって処理区画室３内を移動してゆく。
なお処理ユニット５は、処理区画室３が、中心ゾーンＺ１、中間ゾーンＺ２、外周ゾーンＺ３において例えば計２４室あるときには、これらが同時に動いても良いし、それぞれが別の動きをしてももちろん差し支えない。ただし、駆動ケース２１内のスプロケット２８、チェン２９等の駆動系統を考慮すると、少なくとも各ゾーンにおいては、共通の動きをする方が制御上確実である。
なお原水供給配管５６、温熱風供給配管５７は、その途中あるいはその前後において、準備段階において温熱風Ｈあるいは原水Ｗ０が漏れないように適宜のバルブ等を具えるものであり、これらのバルブ操作自体は、適宜の電磁弁等により遠隔操作が可能な構成を採る。
【００３６】
（３）原水処理
このような状況の下に、処理ユニット５が移動を開始すると、処理ユニット５における処理ヘッド５３における原水ノズル５４からスプレー状に原水Ｗ０が処理メディア３５上に吹き付けられ、これを湿潤状態とする。
もちろんこの吹き付ける原水Ｗ０の量は、処理ユニット５の移動に伴い、逐次、蒸散されるような量に設定しておくものであり、この量は温熱風ノズル５５からの温熱風Ｈの温度、量等も勘案して設定される。
またこのような移動に伴い、まず原水ノズル５４に先行する温熱風ノズル５５により、処理メディア３５のいわば予熱が図られる。一方、後続の温熱風ノズル５５により、前記原水ノズル５４からの原水Ｗ０の水分を蒸発させる。
そして原水Ｗ０中の汚染物質自体は、処理メディア３５に吸着した状態で保持される。
【００３７】
このような作用を進めながら、処理ユニット５が終端点に至り、原水ノズル５４からの原水Ｗ０の供給を停止する。一方、温熱風ノズル５５からの温熱風Ｈの供給については連続的に作用させておいてもよい。
そしていわば帰路にあたる処理ユニット５の戻り移動に対しては、この時点で同様の原水Ｗ０の吐出を行ってもよいが、原水ノズル５４の作用は停止して、いわゆる空戻り状態としてもよい。
このような動作を繰り返し、前記処理メディア３５に対し原水Ｗ０中の汚染物質を残留させて、清浄な回収気体Ｖ０を蒸散させる。
【００３８】
なおここで前記駆動ケース２１におけるスクリューシャフト３４の駆動等について簡単に説明すると、一例として中心ゾーンＺ１にある処理ユニット５については、例えばそれぞれ四本のスクリューシャフト３４が配設されており、その端部におけるスプロケット２８を捲回するとともに更に途中で処理ユニット駆動モータＭ１の駆動スプロケットに捲回した状態となる。このような状態で、処理ユニット駆動モータＭ１を駆動することにより、全てのスクリューシャフト３４を回転駆動し、処理ユニット５の移動を図るようにしている。
【００３９】
（４）回収気体の後処理
このようにして処理区画室３乃至は筐体２内に蒸散した回収気体Ｖ０は、筐体２の外部に配置された送風機ファン２５の緩やかな送風により、回収気体導出装置６における導出路６０側に向かって移動する。回収気体導出装置６において回収気体Ｖ０は、ジグザグ状の導出路６０を通りながら、まず冷却コイル６２に触れて冷却され、ここで露滴となって回収される。
なお回収気体導出装置６で回収気体Ｖ０の一部が液化することは、回収気体Ｖ０の体積が著しく減少することを意味し、これによっても処理区画室３または筐体２内における回収気体Ｖ０の流れが確保され、前記送風機ファン２５の出力が極端になくても十分な回収気体Ｖ０の導出効果が得られる。
このようにして回収気体導出装置６内では、回収気体Ｖ０から液体成分である浄化処理水Ｗが分離・除去できるものであり、浄化処理水Ｗとしてはほぼ完全な浄化処理状態を得た極めて清浄な水分として回収される。
【００４０】
一方、水分を排除した回収気体Ｖ０は、乾燥処理気体Ｖとなって再導入管６４から処理区画室３内における乾燥風ノズル３６に至り、ここから処理区画室３内に乾燥した温熱風Ｈとして再投入される。
なお当然ながら、このような温熱風Ｈが処理区画室３内に供給されることにより、処理メディア３５に吹き付けられた原水Ｗ０の蒸散をより効果的に成されるような作用をしている。
【００４１】
（５）処理メディアの交換
このような処理を継続した後、適宜のインターバルで、処理メディア３５が原水Ｗ０中の汚染物質の吸着の限界に達するが、この場合には処理メディア３５の交換を行う。処理メディア３５は先に述べたように紙質ベースのものが好ましく、この場合には、焼却処理等が比較的容易に行い得る。
【００４２】
〔他の装置態様〕
本発明の基本的構成並びに作用原理は以上述べた通りであるが、実際に装置設計をするにあたっては、種々の効率的な設計態様が採り得る。
すなわち、個々の処理区画室３を満遍なく原水Ｗ０の処理に寄与する様、処理メディア３５をできるだけ密に配置することが好ましい。具体的には中心ゾーンＺ１における処理区画室３について見れば図７、８に示す様に、延長杆５２を更に分岐させた分岐杆５２ａを設け、それぞれに処理ヘッド５３を設けるようにすることが好ましい。
同様に全体として見ても図９に示すように、処理区画室３の空間内を余すことなく利用するような処理メディア３５と処理ユニット５及び処理ヘッド５３の設定が成されるものである。
なお駆動系統その他の部材についての装置的な安定を図る意味からは、各処理区画室３においては、一つの処理ユニット５が移動するような形態を採ることが好ましい。
もちろん一つの処理区画室３に対して、複数の処理ユニット５が移動するような形態を採ることももとより可能である。
【符号の説明】
【００４３】
１        本体装置
１１      ベースフレーム
２        筐体
２０      外殻板
２１      駆動ケース
２２      送風チャンバ
２３      処理室
２４      仕切板
２５      送風機ファン
２６      原水ストレージタンク
２６ａ    原水ニップル
２７      温熱風タンク
２７ａ    温熱風ニップル
２８      スプロケット
２９      チェン
３        処理区画室
３０      処理区画ケージ
３１      横桟部材
３２      環状枠部材
３３      ガイドレール
３４      スクリューシャフト
３５      処理メディア
３５ａ    サポートネット
３５ｂ    保持クリップ
３６      乾燥風ノズル
５        処理ユニット
５０      移動枠
５１      スライドブロック
５１ａ    メネジブロック
５２      延長杆
５２ａ    分岐杆
５３      処理ヘッド
５４      原水ノズル
５５      温熱風ノズル
５６      原水供給配管
５６ａ    コイル部
５７      温熱風供給配管
５７ａ    コイル部
６        回収気体導出装置
６０      導出路
６１      導出ダクト
６１ａ    案内部材
６２      冷却コイル
６３      ドレン口
６４      再導入管
７        ヒーターユニット
７１      送風管
８        原水タンク
８１      送水管
Ａ        排水浄化処理装置
Ｈ        温熱風
Ｍ１      処理ユニット駆動モータ
Ｐ        原水ポンプ
Ｖ        乾燥処理気体
Ｖ０      回収気体
Ｗ        浄化処理水
Ｗ０      原水
Ｚ１      中心ゾーン（４室）
Ｚ２      中間ゾーン（８室）
Ｚ３      外周ゾーン（１２室）
【図１】
2018192434.tif 000003
【図２】
2018192434.tif 000004
【図３】
2018192434.tif 000005
【図４】
2018192434.tif 000006
【図５】
2018192434.tif 000007
【図６】
2018192434.tif 000008
【図７】
2018192434.tif 000009
【図８】
2018192434.tif 000010
【図９】
2018192434.tif 000011